(57)【要約】本発明は、ヒドロキシ基含有又は窒素含有有機基材を染料混合物で三色染色又はプリントする方法、並びにまたかかる染料混合物、及びそれらで染色又はプリントされたヒドロキシ基含有又は窒素含有有機基材に関する。【特許請求の範囲】
【請求項１】
ヒドロキシ基含有又は窒素含有有機基材を染色又はプリントするための三色染色方法において、式（Ｉ）
【化１】
2005505703.tif 000044
〔ここで、
Ｒ1は、Ｃ1-4アルキル基又は置換Ｃ2-4アルキル基であり、
Ｒ2及びＲ3は、互いに独立して、Ｈ、−ＯＨ、−ＣＮ、Ｃ1-2アルキル、−ＳＯ3Ｈ、−ＣＯＯＨ、−ＯＣ1-2アルキル又は−ＮＨ2であり、
Ｘは、ハロゲン基であり、そして
Ｙは、−ＣＨ＝ＣＨ2又は−ＣＨ2ＣＨ2−Ｚを意味し、Ｚは、アルカリにより脱離され得る基である〕
の少なくとも１種の赤色染色性化合物と、少なくとも１種の黄色（又は橙色）染色性化合物と、少なくとも１種の青色染色性化合物とを含む染料混合物を用いることを特徴とする三色染色方法。
【請求項２】
式（ＩＩ）
【化２】
2005505703.tif 000045
〔ここで、
Ｒ4及びＲ5は、互いに独立して、Ｈ又は−ＳＯ3Ｈを意味し、
Ａは、式（ｉ）又は（ｉａ）
【化３】
2005505703.tif 000046
（ここで、
Ｘ及びＹは、請求項１において定義されたのと同じ意味を有し、
Ｒ6及びＲ7は、互いに独立して、Ｈ、非置換Ｃ1-4アルキル又は置換Ｃ1-4アルキルを意味し、
Ｂは、
【化４】
2005505703.tif 000047
（ここで、Ｒ8はＣ1-4アルキル、−ＮＨ2又は−ＮＨＣ1-4アルキルを意味し、そして星印は−Ｎ＝Ｎ−基への結合を示す）を意味する）
の基を意味する〕
の少なくとも１種の黄色（又は橙色）染色性化合物、及び／又は式（ＩＩＩ）
【化５】
2005505703.tif 000048
〔ここで、
Ｒ9は、−ＳＯ3Ｈ又は−ＳＯ2Ｙを意味し、Ｙは請求項１において定義されたのと同じ定義を有し、
Ｒ10は、Ｈ又は−ＳＯ3Ｈを意味し、
Ｒ11は、Ｈ、非置換Ｃ1-4アルキル又は置換Ｃ1-4アルキルを意味し、
Ｄは、
【化６】
2005505703.tif 000049
（ここで、
Ｘ及びＹは、請求項１において定義されたのと同じ意味を有し、そして
Ｒ12は、Ｈ、非置換Ｃ1-4アルキル又は置換Ｃ1-4アルキルを意味する）
を意味する〕
の少なくとも１種の黄色（又は橙色）染色性化合物、及び／又は式（ＩＶ）
【化７】
2005505703.tif 000050
〔ここで、
Ｒ13は、Ｈ、メチル、メトキシ、エトキシ、−ＮＨＣＯＮＨ2又は−ＮＨＣＯＣＨ3を意味し、
Ｒ14は、Ｈ、メチル、メトキシ又はエトキシを意味し、
ＲＧは、
【化８】
2005505703.tif 000051
（ここで、
Ｒ15は、Ｈ又は塩素を意味する）
を意味し、
Ｙは、請求項１において定義されたのと同じ定義を有し、そしてアゾ基に関してメタ又はパラ位に結合され得る〕
の少なくとも１種の黄色（又は橙色）染色性化合物を含む染料混合物を用いることを含むことを特徴とする、請求項１に記載の三色染色方法。
【請求項３】
式（Ｖ）
【化９】
2005505703.tif 000052
〔ここで、
Ｒ16は、Ｈ又は−ＳＯ3Ｈを意味し、
Ｒ17は、
【化１０】
2005505703.tif 000053
（ここで、
Ｘ及びＹは、請求項１において定義されたのと同じ意味を有し、
Ｒ18及びＲ19は、互いに独立して、Ｈ、非置換Ｃ1-4アルキル又は置換Ｃ1-4アルキルであり、
ｎは、０又は１である）
を意味し、
Ｔは、
【化１１】
2005505703.tif 000054
（ここで、
Ｒ16は、上記に定義されたとおりの意味を有し、そしてＹは、請求項１において定義されたとおりの意味を有し、そして
Ｒ20は、Ｈ、非置換Ｃ1-4アルキル又は置換Ｃ1-4アルキルである）
を意味する〕
の少なくとも１種の青色染色性化合物、及び／又は式（ＶＩ）
【化１２】
2005505703.tif 000055
〔ここで、
Ｒ21は、Ｈ又は−ＣＯＯＨであり、
Ｒ22及びＲ24の各々は、独立して、Ｈ、−ＣＯＯＨ、−ＳＯ3Ｈ、−ＮＨＣＯＣＨ3、−ＮＨＣＯＣＨＹ2−ＣＨ2Ｙ1、−ＮＨＣＯＣＹ2＝ＣＨ2又は−ＮＨＣＯＣＨ2Ｙ1であり、
Ｒ23は、−ＣＯＯＨであり、
Ｙ1は、塩素、臭素、−ＯＳＯ3Ｈ又は−ＳＳＯ3Ｈであり、そして
Ｙ2は、Ｈ、塩素又は臭素である〕
の少なくとも１種の青色染色性化合物、及び／又は式（ＶＩＩ）
【化１３】
2005505703.tif 000056
〔ここで、
Ｙは、請求項１において定義されたのと同じ意味を有し、
Ｒ25は、Ｈ又は−ＳＯ3Ｈを意味し、
Ｒ26は、Ｈ又は−ＳＯ3Ｈを意味する〕
の少なくとも１種の青色染色性化合物、及び／又は式（ＶＩＩＩ）
【化１４】
2005505703.tif 000057
〔ここで、
各Ｙは、互いに独立して、請求項１において定義されたのと同じ意味を有し、
Ｒ27及びＲ28は、互いに独立して、Ｈ、非置換Ｃ1-4アルキル又は置換Ｃ1-4アルキルである〕
の少なくとも１種の青色染色性化合物を含む染料混合物を用いることを含むことを特徴とする、請求項１に記載の三色染色方法。
【請求項４】
式（Ｉａ）
【化１５】
2005505703.tif 000058
〔ここで、
Ｘ′は、Ｃｌ又はＦであり、
Ｒ′1は、Ｃ1-2アルキル特に−Ｃ2Ｈ5、又はＣｌ、Ｆ、Ｂｒ、−ＯＨ、−ＣＮ若しくは−ＮＨ2により一置換されているＣ2-4アルキル基あり、
Ｒ′2及びＲ′3は、互いに独立して、Ｈ、Ｃ1-2アルキル、−ＳＯ3Ｈ又は−ＯＣ1-2アルキル、特にＨ、−ＣＨ3、−ＳＯ3Ｈ又は−ＯＣＨ3であり、そして
−ＳＯ2Ｙ基は、フェニル環に３、４又は５位にて結合され、Ｙは請求項１において定義されたとおりである〕
の少なくとも１種の赤色染色性化合物を含む染料混合物を用いることを特徴とする、請求項１、２又は３に記載の三色染色方法。
【請求項５】
式（ＩＩａ）、（ＩＩｂ）及び／若しくは（ＩＩｃ）
【化１６】
2005505703.tif 000059
〔ここで、Ａは
【化１７】
2005505703.tif 000060
である〕
の少なくとも１種の黄色（又は橙色）染色性化合物、並びに／又は式（ＩＩＩａ）若しくは（ＩＩＩｂ）
【化１８】
2005505703.tif 000061
〔ここで、Ｄは
【化１９】
2005505703.tif 000062
である〕
の少なくとも１種の黄色（又は橙色）染色性化合物、並びに／又は式（ＩＶａ）若しくは（ＩＶｂ）
【化２０】
2005505703.tif 000063
〔ここで、ＲＧは
【化２１】
2005505703.tif 000064
である〕
の少なくとも１種の黄色（又は橙色）染色性化合物を含む染料混合物を用いることを特徴とする、請求項１〜４のいずれか一項に記載の三色染色方法。
【請求項６】
式（Ｖａ）、（Ｖｂ）、（Ｖｃ）、（Ｖｄ）、（Ｖｅ）及び／若しくは（Ｖｆ）
【化２２】
2005505703.tif 000065
〔ここで、Ｔは
【化２３】
2005505703.tif 000066
である〕
の少なくとも１種の青色染色性化合物、並びに／又は式（ＶＩａ）若しくは（ＶＩｂ）
【化２４】
2005505703.tif 000067
の少なくとも１種の青色染色性化合物、並びに／又は式（ＶＩＩａ）若しくは（ＶＩＩｂ）
【化２５】
2005505703.tif 000068
の少なくとも１種の青色染色性化合物、並びに／又は式（ＶＩＩＩａ）
【化２６】
2005505703.tif 000069
の少なくとも１種の青色染色性化合物を含む染料混合物を用いることを特徴とする、請求項１〜５のいずれか一項に記載の三色染色方法。
【請求項７】
請求項１〜６のいずれか一項に記載の方法において用いられる染料混合物。
【請求項８】
請求項１〜６のいずれか一項に記載の三色染色方法により染色またはプリントされたヒドロキシ基含有又は窒素含有有機基材から成る基材。
【発明の詳細な説明】
【技術分野】
【０００１】
本発明は、ヒドロキシ基含有又は窒素含有有機基材を染料混合物で三色染色又はプリントする方法、並びにまたかかる染料混合物、及びそれらで染色又はプリントされたヒドロキシ基含有又は窒素含有有機基材に関する。
【０００２】
三色は、適当な黄色−又は橙色−、赤色−及び青色−染色性染料の加法混色を述べるものであり、しかしてそれらの染料でもって可視スペクトルにおけるいかなる所望の色合いも、それらの染料についての量比を適当に選択することにより得られ得る。
【０００３】
三色染色は、様々な染料クラスについて、文献からたとえば欧州特許第８３２９９号明細書、独国特許発明第２６２３１７８号明細書、欧州特許第２２６９８２号明細書及び欧州特許第８０８９４０号明細書からよく知られている。
【０００４】
いかなる黄色（又は橙色）、赤色及び青色染料混合物についても、最適三色性能は、中性の親和力及び移染特性に決定的に依存する。中性の親和力及び移染性に関して同一又は非常に同様な特性を有する染料は、三色性能に関して高度に適合し得る。
【０００５】
本発明の目的は、良好な堅牢度を有する三色染色物が得られるところの、三色染色方法並びに少なくとも１つの赤色成分、少なくとも１つの黄色（又は橙色）成分及び少なくとも１つの青色成分から成る関連三色染料混合物を提供することである。
【０００６】
この目的は、三色染色方法であって、式（Ｉ）
【化１】
2005505703.tif 000002
〔ここで、
Ｒ1は、Ｃ1-4アルキル基又は置換Ｃ2-4アルキル基であり、
Ｒ2及びＲ3は、互いに独立して、Ｈ、−ＯＨ、−ＣＮ、Ｃ1-2アルキル、−ＳＯ3Ｈ、−ＣＯＯＨ、−ＯＣ1-2アルキル又は−ＮＨ2であり、
Ｘは、ハロゲン基であり、そして
Ｙは、−ＣＨ＝ＣＨ2又は−ＣＨ2ＣＨ2−Ｚを意味し、Ｚは、アルカリにより脱離され得る基である〕
の少なくとも１種の赤色染色性化合物と、少なくとも１種の黄色（又は橙色）染色性化合物と、少なくとも１種の青色染色性化合物とを含む染料混合物を用いることを特徴とする方法により達成される。
【０００７】
界面活性化合物、可溶化剤、増粘剤、ゲル形成性物質、酸化防止剤、浸透剤、金属イオン封鎖剤、緩衝剤、光保護剤、ケア剤のような様々な助剤が、本発明による組成物中に追加的に存在し得る。
【０００８】
かかる助剤は、特に、湿潤剤、消泡剤、均染剤、増粘剤及び可塑剤である。
【０００９】
プリント方法用のインキの作製のために、適当な有機溶媒又はそれらの混合物が用いられる。たとえば、アルコール、エーテル、エステル、ニトリル、炭酸アミド、環状アミド、尿素、スルホン及びスルホンオキシド。
【００１０】
更に、たとえば粘度及び／又は界面張力を調整する化合物のような追加助剤が、インキ組成物に添加され得る。
【００１１】
本発明の三色方法用の適当な黄色（又は橙色）染色性化合物は、次の式（ＩＩ）
【化２】
2005505703.tif 000003
〔ここで、
Ｒ4及びＲ5は、互いに独立して、Ｈ又は−ＳＯ3Ｈを意味し、
Ａは、式（ｉ）又は（ｉａ）
【化３】
2005505703.tif 000004
（ここで、
Ｘ及びＹは、上記に定義されたのと同じ意味を有し、
Ｒ6及びＲ7は、互いに独立して、Ｈ、非置換Ｃ1-4アルキル又は置換Ｃ1-4アルキルを意味し、
Ｂは、
【化４】
2005505703.tif 000005
（ここで、Ｒ8はＣ1-4アルキル、−ＮＨ2又は−ＮＨＣ1-4アルキルを意味し、そして星印は−Ｎ＝Ｎ−基への結合を示す）を意味する）
の基を意味する〕
を有する。
【００１２】
本発明の三色方法用の更なる適当な黄色（又は橙色）染色性化合物は、次の式（ＩＩＩ）
【化５】
2005505703.tif 000006
〔ここで、
Ｒ9は、−ＳＯ3Ｈ又は−ＳＯ2Ｙを意味し、Ｙは上記と同じ定義を有し、
Ｒ10は、Ｈ又は−ＳＯ3Ｈを意味し、
Ｒ11は、Ｈ、非置換Ｃ1-4アルキル又は置換Ｃ1-4アルキルを意味し、
Ｄは、
【化６】
2005505703.tif 000007
（ここで、
Ｘ及びＹは、上記に定義されたのと同じ意味を有し、そして
Ｒ12は、Ｈ、非置換Ｃ1-4アルキル又は置換Ｃ1-4アルキルを意味する）
を意味する〕
を有する。
【００１３】
本発明の三色方法用の更なる適当な黄色（又は橙色）染色性化合物は、次の式（ＩＶ）
【化７】
2005505703.tif 000008
〔ここで、
Ｒ13は、Ｈ、メチル、メトキシ、エトキシ、−ＮＨＣＯＮＨ2又は−ＮＨＣＯＣＨ3を意味し、
Ｒ14は、Ｈ、メチル、メトキシ又はエトキシを意味し、
ＲＧは、
【化８】
2005505703.tif 000009
（ここで、
Ｒ15は、Ｈ又は塩素を意味する）
を意味し、
Ｙは、上記と同じ定義を有し、そしてアゾ基に関してメタ又はパラ位に結合され得る〕
を有する。
【００１４】
本発明の三色方法用の適当な青色染色性化合物は、次の式（Ｖ）
【化９】
2005505703.tif 000010
〔ここで、
Ｒ16は、Ｈ又は−ＳＯ3Ｈを意味し、そして
Ｒ17は、
【化１０】
2005505703.tif 000011
（ここで、
Ｘ及びＹは、上記に定義されたのと同じ意味を有し、
Ｒ18及びＲ19は、互いに独立して、Ｈ、非置換Ｃ1-4アルキル又は置換Ｃ1-4アルキルであり、
ｎは、０又は１である）
を意味し、
Ｔは、
【化１１】
2005505703.tif 000012
（ここで、
Ｒ16及びＹは、上記に定義されたとおりの意味を有し、そして
Ｒ20は、Ｈ、非置換Ｃ1-4アルキル又は置換Ｃ1-4アルキルである）
を意味する〕
を有する。
【００１５】
本発明の三色方法用の更なる適当な青色染色性化合物は、次の式（ＶＩ）
【化１２】
2005505703.tif 000013
〔ここで、
Ｒ21は、Ｈ又は−ＣＯＯＨであり、
Ｒ22及びＲ24の各々は、独立して、Ｈ、−ＣＯＯＨ、−ＳＯ3Ｈ、−ＮＨＣＯＣＨ3、−ＮＨＣＯＣＨＹ2−ＣＨ2Ｙ1、−ＮＨＣＯＣＹ2＝ＣＨ2又は−ＮＨＣＯＣＨ2Ｙ1であり、
Ｒ23は、−ＣＯＯＨであり、
Ｙ1は、塩素、臭素、−ＯＳＯ3Ｈ又は−ＳＳＯ3Ｈであり、そして
Ｙ2は、Ｈ、塩素又は臭素である〕
を有する。
【００１６】
本発明の三色方法用の更なる適当な青色染色性化合物は、次の式（ＶＩＩ）
【化１３】
2005505703.tif 000014
〔ここで、
Ｙは、上記に定義されたのと同じ意味を有し、
Ｒ25は、Ｈ又は−ＳＯ3Ｈを意味し、
Ｒ26は、Ｈ又は−ＳＯ3Ｈを意味する〕
を有する。
【００１７】
本発明の三色方法用の更なる適当な青色染色性化合物は、次の式（ＶＩＩＩ）
【化１４】
2005505703.tif 000015
〔ここで、
各Ｙは、互いに独立して、上記に定義されたのと同じ意味を有し、
Ｒ27及びＲ28は、互いに独立して、Ｈ、非置換Ｃ1-4アルキル又は置換Ｃ1-4アルキルである〕
を有する。
【００１８】
好ましい三色染色方法は、式（Ｉａ）
【化１５】
2005505703.tif 000016
〔ここで、
Ｘ′は、Ｃｌ又はＦであり、
Ｒ′1は、Ｃ1-2アルキル特に−Ｃ2Ｈ5、又はＣｌ、Ｆ、Ｂｒ、−ＯＨ、−ＣＮ若しくは−ＮＨ2により一置換されているＣ2-4アルキル基あり、
Ｒ′2及びＲ′3は、互いに独立して、Ｈ、Ｃ1-2アルキル、−ＳＯ3Ｈ又は−ＯＣ1-2アルキル、特にＨ、−ＣＨ3、−ＳＯ3Ｈ又は−ＯＣＨ3であり、そして
−ＳＯ2Ｙ基は、フェニル環に３、４又は５位にて結合され、Ｙは上記に定義されたとおりである〕
の少なくとも１種の赤色染色性化合物と、式（ＩＩ）、（ＩＩＩ）及び／又は（ＩＶ）の少なくとも１種の黄色（又は橙色）染色性化合物と、式（Ｖ）、（ＶＩ）、（ＶＩＩ）及び／又は（ＶＩＩＩ）により示されたとおりの少なくとも１種の青色染色性化合物とを含む染料混合物を用いることを特徴とする。
【００１９】
一層好ましい三色染色方法は、式（ＩＩａ）、（ＩＩｂ）及び／若しくは（ＩＩｃ）
【化１６】
2005505703.tif 000017
〔ここで、Ａは
【化１７】
2005505703.tif 000018
である〕
の少なくとも１種の黄色（又は橙色）染色性化合物、並びに／又は式（ＩＩＩａ）若しくは（ＩＩＩｂ）
【化１８】
2005505703.tif 000019
〔ここで、Ｄは
【化１９】
2005505703.tif 000020
である〕
の少なくとも１種の黄色（又は橙色）染色性化合物、並びに／又は式（ＩＶａ）若しくは（ＩＶｂ）
【化２０】
2005505703.tif 000021
〔ここで、ＲＧは
【化２１】
2005505703.tif 000022
である〕
の少なくとも１種の黄色（又は橙色）染色性化合物を含む染料混合物を用いることを特徴とする。
【００２０】
一層好ましい三色染色方法は、式（Ｖａ）、（Ｖｂ）、（Ｖｃ）、（Ｖｄ）、（Ｖｅ）及び／若しくは（Ｖｆ）
【化２２】
2005505703.tif 000023
〔ここで、Ｔは
【化２３】
2005505703.tif 000024
である〕
の少なくとも１種の青色染色性化合物、並びに／又は式（ＶＩａ）若しくは（ＶＩｂ）
【化２４】
2005505703.tif 000025
の少なくとも１種の青色染色性化合物、並びに／又は式（ＶＩＩａ）若しくは（ＶＩＩｂ）
【化２５】
2005505703.tif 000026
の少なくとも１種の青色染色性化合物、並びに／又は式（ＶＩＩＩａ）
【化２６】
2005505703.tif 000027
の少なくとも１種の青色染色性化合物を含む染料混合物を用いることを特徴とする。
【００２１】
すべての化合物はまた塩形態にて存在し得る、ということが留意されるべきである。有用な塩は、特に、アルカリ金属、アルカリ土類金属若しくはアンモニウム塩、又は有機アミンの塩を包含する。
【００２２】
また、アルキル基は線状又は分枝状であり得る、ということが留意されるべきである。
【００２３】
好ましいヒドロキシ基含有又は窒素含有有機基材は、天然又は合成ポリアミド及び特に天然又は再生セルロース（綿、ビスコース及びスパンレーヨンのような）を含む皮革及び繊維材料である。最も好ましい基材は、綿を含む生地材料である。
【００２４】
式（Ｉ）の化合物は、式（１）
【化２７】
2005505703.tif 000028
〔ここで、すべての置換基は、上記に定義されたとおりの意味を有する〕
のジアゾ化化合物を式（２）
【化２８】
2005505703.tif 000029
〔ここで、すべての置換基は、上記に定義されたとおりの意味を有する〕
の化合物と反応させることにより製造される。
【００２５】
この方法は、好ましくは、水性媒質中で、０から４０℃一層好ましくは０から２５℃の温度及び１と７の間一層好ましくは１から６のｐＨにて行われる。
【００２６】
式（Ｉ）の染料は、公知方法に従って、たとえば塩析し、濾過し、そして随意に真空中及びわずかに高められた温度にて、乾燥することにより単離され得る。
【００２７】
黄色（又は橙色）染色性化合物は当該技術状況から公知であり、そしてそれ故先行技術において与えられた方法に従って製造され得る。たとえば、国際公開第９９／６３９９５号パンフレット、国際公開第９９／６３０５５号パンフレット、及びF.Lehr，Dyes Pigm.（１９９０），１４（４），２５７。
【００２８】
青色染色性化合物もまた当該技術状況から公知であり、そしてそれ故先行技術において与えられた方法に従って製造され得る。たとえば、欧州特許第９９７２１号明細書、欧州特許第８４３１４号明細書、国際公開第０１／６８７７５号パンフレット、欧州特許第１４９１７０号明細書、欧州特許第４９７１７４号明細書及び独国特許発明第４２４９１８号明細書。
【００２９】
本発明は、更に、本発明による上記の方法において用いられるところの、ヒドロキシ基含有又は窒素含有有機基材の三色染色又はプリント用の染料混合物を提供する。
【００３０】
本発明の三色染色又はプリント方法は、あらゆる慣用及び公知の染色及びプリント方法、たとえば連続法、吸尽法、泡染色法及びインキジェット法に適用され得る。
【００３１】
本発明による方法において用いられる三色染料混合物中の個々の染料成分の組成は、所望色相に依存する。たとえば、褐色の色相は、好ましくは、３０〜６５重量％の本発明による黄色（又は橙色）成分、１０〜３０重量％の本発明による赤色成分及び１０〜３０重量％の本発明による青色成分を利用する。
【００３２】
上記に記載された赤色成分は、ただ１つの成分、又は複数の異なる赤色の個々の成分の混合物から成り得る。
【００３３】
同じことが、黄色（又は橙色）及び青色成分に当てはまる。
【００３４】
本発明による方法における染料の総量は、０．０１と１５重量％の間好ましくは１と１０重量％の間にある。
【００３５】
本発明は、更に、本発明による染料混合物により染色又はプリントされたヒドロキシ基含有又は窒素含有有機基材を提供する。
【００３６】
本発明による方法は、オン・トーン染着でもって、低飽和度を有する繊維の場合においてさえ高い浴染着度と共に及び細い繊維特に極細繊維上における高い染料蓄積度と共に、全色相スペクトルの全体にわたって均質な色相ビルドアップを有する染色物及びプリント物を提供する。
【００３７】
生じた染色物又はプリント物は、非常に高い湿潤堅牢度、特に洗濯、汗及び水に関しての堅牢度について注目に値する。金属錯体でもっての染色物及びプリント物の堅牢度レベルに決して劣らないこれらの良好な湿潤及び加工堅牢度が、後処理なしに得られる。追加の後処理でもって、これらの堅牢度は更に高められる。
【００３８】
これらの優秀な結果は、国家的な制定及び規定の現在及び将来の生態学的要求を満たす金属不含要素によりもたらされる。
【００３９】
以下の表は、本発明の三色染色方法において用いられる染料混合物の個々の成分のいくつかの例を示す。
【００４０】
表１／実施例１〜１８
式（Ｉ）に従う式（Ｉｂ）の赤色染色性化合物の例
【化２９】
2005505703.tif 000030
【表１】
2005505703.tif 000031
【００４１】
表２／実施例１９〜３５
式（Ｉ）に従う式（Ｉｃ）の赤色染色性化合物の例
【化３０】
2005505703.tif 000032
【表２】
2005505703.tif 000033
【００４２】
表３／実施例３６〜５２
式（Ｉ）に従う式（Ｉｂ）、（Ｉｃ）、（Ｉｄ）及び（Ｉｅ）の赤色染色性化合物の混合物の例
【化３１】
2005505703.tif 000034
【表３】
2005505703.tif 000035
【００４３】
表４／実施例５３〜５６
式（ＩＩ）に従う式（ＩＩ′）の黄色（又は橙色）染色性化合物の例
【化３２】
2005505703.tif 000036
【表４】
2005505703.tif 000037
【００４４】
表５／実施例５７〜５９
式（ＩＩＩ）に従う式（ＩＩＩ′）の橙色染色性化合物の例
【化３３】
2005505703.tif 000038
【表５】
2005505703.tif 000039
【００４５】
表６／実施例６０〜６２
式（ＩＶ）に従う式（ＩＶ′）の黄色（又は橙色）染色性化合物の例
【化３４】
2005505703.tif 000040
【表６】
2005505703.tif 000041
【００４６】
表７／実施例６３〜７２
式（Ｖ）の青色染色性化合物の例
【化３５】
2005505703.tif 000042
【表７】
2005505703.tif 000043
【００４７】
下記の施用例は、本発明を例示するために供される。別段指摘されていなければ、部は重量により、そして温度は摂氏度である。
【００４８】
施用例１
漂白された綿編物製品の２０ｇ試料を、６０℃における水２００ｍｌ中の硫酸ナトリウム１６ｇの溶液中に移し、
実施例１に示されたとおりの赤色染料０．５％（布の重量を基準として計算される）、
実施例５５に示されたとおりの黄色染料０．８％、
式ＶＩａに示されたとおりの青色染料０．５％、並びに
０．３、０．７及び１ｇの分量の炭酸ナトリウムを、６０℃にてそれぞれ３０、４５及び６０分後に添加する。温度を、更に６０分間維持する。染色された布を、熱蒸留水中で２分間そして熱水道水中で１分間すすぐ。沸騰状態の蒸留水１，０００ｍｌ中に２０分間保った後、布を乾燥する。それにより、良好な堅牢度を有する褐色の綿染色物がもたらされる。
【００４９】
施用例２〜６
これらの例は、施用例１に類似してしかし下記に挙げられる染料混合物を用いることにより成される。生じた色合いは、括弧内に与えられている。
【００５０】
施用例２（オリーブ色の色合い）
実施例１に示されたとおりの赤色染料０．２％、
実施例５５に示されたとおりの黄色染料０．４％、
式ＶＩａに示されたとおりの青色染料０．６％。
【００５１】
施用例３（褐色の色合い）
実施例３９に示されたとおりの赤色染料０．３％、
実施例６０に示されたとおりの橙色染料０．９％、
式ＶＩａに示されたとおりの青色染料０．６％。
【００５２】
施用例４（オリーブ色の色合い）
実施例３９に示されたとおりの赤色染料０．１％、
実施例６０に示されたとおりの黄色染料０．５％、
式ＶＩａに示されたとおりの青色染料０．６％。
【００５３】
施用例５（褐色の色合い）
実施例２に示されたとおりの赤色染料０．５％、
実施例５５に示されたとおりの黄色染料０．９％、
実施例６９に示されたとおりの青色染料０．３％。
【００５４】
施用例６（オリーブ色の色合い）
実施例２に示されたとおりの赤色染料０．２％、
実施例５５に示されたとおりの黄色染料０．４％、
実施例６９に示されたとおりの青色染料０．３％。
【国際公開パンフレット】
2005505703.tif 000070
2005505703.tif 000071
2005505703.tif 000072
2005505703.tif 000073
2005505703.tif 000074
2005505703.tif 000075
2005505703.tif 000076
2005505703.tif 000077
2005505703.tif 000078
2005505703.tif 000079
2005505703.tif 000080
2005505703.tif 000081
2005505703.tif 000082
2005505703.tif 000083
2005505703.tif 000084
2005505703.tif 000085
2005505703.tif 000086
2005505703.tif 000087
2005505703.tif 000088
2005505703.tif 000089
2005505703.tif 000090
2005505703.tif 000091
2005505703.tif 000092
2005505703.tif 000093
2005505703.tif 000094
2005505703.tif 000095
2005505703.tif 000096
2005505703.tif 000097
2005505703.tif 000098
2005505703.tif 000099
2005505703.tif 000100
2005505703.tif 000101
2005505703.tif 000102
【国際調査報告】
2005505703.tif 000103
2005505703.tif 000104
2005505703.tif 000105